(57)【要約】【課題】  見た目、装着感共に優れ、押圧効果により足指の付け根付近のツボを刺激して足裏の血行を促進し、しかも各指を仕切ることで、足のニオイやムレを軽減する。【解決手段】  足用健康器具１は、天然ゴム又は合成ゴムなどの弾性体からなり、断面形状が円である複数のリング体３〜７を備えて構成される。第１のリング体３は足の親指に対して遊嵌自在となる大きさに形成され、また他の第２〜５のリング体４〜７は、親指を除いたどの足指Ｙに対しても遊嵌自在となる大きさに形成されている。さらに各リング体３〜７は、当該リング体３〜７の軸心方向Ｘを揃えて前後方向としたときに左右に連結され、足指Ｙの五指に夫々着脱できるようになっている。リング体３〜７の連結部８は、相互に前後方向に重なっており、また連結部８は接着剤又は縫製により固着されている。【選択図】図１
2007050156.tif 000002
【特許請求の範囲】
【請求項１】
足指の付け根部に装着され、この足指に遊嵌自在となる大きさに形成されたリング体を有し、前記リング体の軸心方向を前後方向とし、複数の前記リング体を左右に連結したことを特徴とする足用健康器具。
【請求項２】
前記リング体を弾性体から形成したことを特徴とする請求項１記載の足用健康器具。
【請求項３】
前記連結した部分を前後に重ねて連結したことを特徴とする請求項１又は２記載の足用健康器具。
【請求項４】
前記リング体は表面を布体により覆われていることを特徴とする請求項１〜３のいずれか一つに記載の足用健康器具。
【発明の詳細な説明】
【技術分野】
【０００１】
本発明は、足裏の血行を促進する足用健康器具に関するものである。
【背景技術】
【０００２】
従来、足のニオイや疲れを軽減するために５本指ソックスがあり、作業労働者等の人々には広く使用されている。ただ、公式な場所では履くことが困難であり、ストッキングを履く場合などは格好が悪くて現実的に不可能であった。さらに欠点として指部分が広くなり、革靴などのキッチリした靴では、指部分が圧迫されて疲れるということが生じていた。その他足指を広げる等の健康商品はあるが、靴を履いている時に利用できるものは指の間に布片をテープで貼るものや、指サック他があるが、装着に手間がかかり、見ばえも悪く、しかも使用感がよくなかった。また効果もムレやニオイを防ぐだけであり、足裏の血行を促進すると共に、簡単に装着できるものはなかった。
【０００３】
上述の課題を解決するものとして、伸縮する素材を用いて、足の３本の足指が別々に入るように区分されたものと、２本の足指が１本飛ばして筒部に入り指を区分するようにしたもので、共に装着した指が圧迫されて指圧効果を得るように作られたサポーターがある（特許文献１）。
【特許文献１】特開２００４−０５２４３４号公報
【発明の開示】
【発明が解決しようとする課題】
【０００４】
上記の特許文献１の構成においては、サポーターに覆われた足指部分の通気性の悪さとともに、サポーターを装着したまま靴や靴下を装着した場合に、サポーターの布地の厚み分だけ、どうしても装着感という点で使用者は違和感を覚えると共に、サポーターの装着による指圧効果のある足指の付け根付近のツボ以外の関係のない部分も、同時に圧迫されているという問題点があった。
【０００５】
解決しようとする問題点は、見た目、装着感共に優れ、押圧効果により足指の付け根付近のツボを刺激して足裏の血行を促進し、しかも各指を仕切ることで、足のニオイやムレを軽減する足用健康器具を提供することを目的とするものである。
【課題を解決するための手段】
【０００６】
請求項１の発明は、足指の付け根部に装着され、この足指に遊嵌自在となる大きさに形成されたリング体を有し、前記リング体の軸心方向を前後方向とし、複数の前記リング体を左右に連結したことを特徴とする。
【０００７】
請求項２の発明は、前記リング体を弾性体から形成したことを特徴とする。
【０００８】
請求項３の発明は、前記連結した部分を前後に重ねて連結したことを特徴とする。
【０００９】
請求項４の発明は、前記リング体は表面を布体により覆われていることを特徴とする。
【発明の効果】
【００１０】
請求項１の発明によれば、足指の付け根部にリング体を装着すると、この付け根部の裏側が使用者の自重によって押されるだけでなく、付け根部の側部も、歩行によって踏み込む際に指先に力が入って足指の間同士が閉じることにより、リング体の連結した部分に押される。そのため、足指の裏側と側部に対し押圧によるマッサージ効果を与えることができる。また、足指同士がリング体で仕切られ、通気性が向上し足指のニオイやムレを防ぎ足指を清潔に保つことができる。さらに、足指に対し遊嵌自在な大きさにリング体を形成したことにより、足指の装着後にリング体は足指に摺動自在となるので、足指に対し快適な位置での装着ができる。
【００１１】
請求項２の発明によれば、リング体に伸縮性をもたせ、足指への着脱を楽にし、又リング体に弾力性をもたせることにより、足指に対する押圧によるマッサージ効果と足指への装着感を優れたものにする。
【００１２】
請求項３の発明によれば、連結した部分を前後に重ねて連結したことで、リング体の連結部分が左右方向に広く形成されることを防ぎ、装着時におけるリング体の連結した部分から足指への圧迫を軽減し、足用健康器具の装着感を優れたものにする。
【００１３】
請求項４の発明によれば、布体に着色などを施すことで、足用健康器具をデザイン性に優れたものにできる。
【発明を実施するための最良の形態】
【００１４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１５】
図１〜図５は実施例１を示しており、足用健康器具１は、天然ゴム又は合成ゴムなどの伸縮自在な弾性体からなり、断面形状が好ましくは円である複数のリング体３〜７を備えて構成される。ここでは、足指Ｙの数に合せて５つのリング体３〜７が設けられているが、それ以外の数（すなわち、複数）であっても構わない。ここで第１のリング体３に着目すると、このリング体３は足の親指の付け根に対して遊嵌自在となる大きさに形成され、また他の第２〜５のリング体４，５，６，７は、どの足指Ｙの付け根に対しても遊嵌自在となる大きさに形成されている。さらに各リング体３〜７は、当該リング体３〜７の軸心方向Ｘを揃えて前後方向としたときに左右に連結され、足指Ｙの五指に夫々着脱できるようになっている。
【００１６】
前記第１〜５のリング体３〜７は、第１のリング体３を一端に配置し、第２〜第５のリング体４，５，６，７を順次横方向に配置して連結している。この時、隣接するリング体３〜７の連結する部分である連結部８は、相互に前後方向に重なっており、中指に装着される第３のリング体５を一番前面に配置し、次いでこの第３のリング体５の左右に配置した第２および第４のリング体４，６、そして両端側に配置された第１および第５のリング体３，７を後部に配するような前後方向の配置となっている。連結部８は接着剤又は縫製により固着されている。
【００１７】
前記リング体３〜７の表面は、例えば着色を施した装飾性の高い布体９で覆われている。
【００１８】
以上の構成について作用を述べると、使用者は自身の足指Ｙに対し、第１のリング体３を親指10の付け根部に、第２のリング体４を人差し指11の付け根部に、第３のリング体５を中指12の付け根部に、第４のリング体６を薬指13の付け根部に、第５のリング体７を小指14の付け根部へとそれぞれ装着する。その時リング体３〜７は、湾曲状をなす足の五指の付け根に対応するように、第３のリング体５を一番前側にして、その両側のリング体４，３およびリング体７，８が順に後側になるように配置されるので、リング体３〜７は、それぞれが対応する足指Ｙの付け根に違和感なく装着される。
【００１９】
足用健康器具１を装着したまま、使用者は立ち上がることにより、使用者のリング体３〜７への自重による踏付けの押圧の反力を足用健康器具１のリング体３〜７から足指Ｙの付け根の裏側に受ける。また、歩行時には足指Ｙの付け根裏側からの押圧に加え、踏み込み時に指先に力が入って、隣りあう足指Ｙ，Ｙの隙間が狭まるので、足指Ｙの側部はリング体３〜７の連結部８に当接して、この連結部８からの反力を受けることとなる。
【００２０】
さらに、リング体３〜７から足指Ｙの付け根へ押圧が働いている状態でも、足指Ｙの付け根上部とリング体３〜７の当接部以外の側部にはわずかな隙間Ｋ（図５参照）が形成されており、足指Ｙの付け根上部はリング体３〜７からの圧迫を受けない。
【００２１】
前述のようにリング体３〜７が足指Ｙに遊嵌自在に形成されたことと、リング体３〜７の断面形状を円状に形成したことにより、足用健康器具１を装着したまま使用者が歩行又は立ち仕事等においても、各リング体３〜７は足指Ｙの付け根の裏側に摺動自在となっており、使用者が歩行又は立ち仕事等のようなリング体３〜７に荷重を掛ける動作時に足指Ｙの付け根の裏側の節にリング体３〜７が自然に摺動していき、節にリング体３〜７が収まることで、リング体３〜７による足指Ｙの付け根の裏側における節のツボへの押圧による刺激が与えられる。また、足指Ｙの付け根の側部も、歩行によって踏み込む際に、指先に力が入って足指Ｙの間同士が閉じると、リング体の連結した部分に押される。そのため、リング体３〜７からの押圧による適切なマッサージが行われる。
【００２２】
これにより、足裏全体の血行が促進され、新陳代謝がよくなるので、結果的に減量効果を得ることができる。実際に、本実施例の足用健康器具１を使用したところ、１ヶ月で１kｇ程度の減量効果が得られた。また、しもやけ，ひび，赤ギレ，踵のガサ付きなどの予防にも効果がある。
【００２３】
また、リング体３〜７を弾性体から形成したことにより、足指Ｙへのリング体３〜７の脱着において、リング体３〜７が伸縮するため、脱着が楽になり、使用者の足指Ｙの状態、具体的には足指Ｙのむくみ等のように足指Ｙのサイズの変化に対しても十分対応することができる。又、足用健康器具１を装着時に、足指Ｙへのリング体３〜７から受ける圧迫に対しても、リング体３〜７自体の弾力により足指Ｙに対する圧迫が軽減される。そして、足指Ｙの付け根の裏側に対するリング体３〜７からの押圧のマッサージにおいても、マッサージ時におけるリング体３〜７の弾性変化により、マッサージ箇所に対し柔らかな感触を与える。
【００２４】
足指Ｙにリング体３〜７を装着した状態で歩行しても、足指Ｙの付け根上部とリング体３〜７の当接部以外の側部にはわずかな隙間Ｋが形成されるので、足指Ｙの通気性を向上できる。また、連結したリング体３〜７同士は夫々を前後に重なるようして左右に連結されているので、連結部８が必要以上に横方向に広く形成されるのを防ぎ、足指Ｙの付け根へのリング体３〜７からの不快な圧迫を防ぐと共に、足指Ｙが使用者が不快に感じるほど広がるのを防ぐ。
【００２５】
足用健康器具１のリング体３〜７の表面が装飾性の高い布体９により覆われていることにより、使用者は足用健康器具１をファッションの一部として使用することができるので、人目を引く場所での使用にも適している。又、複数の足用健康器具１をそれぞれ異なる色、柄の布体９で用意することにより、使用者の気分、足の状態や使用する場所によって布体９の色や柄を選択できるので、足用健康器具１を足指Ｙに装着するアクセサリとしても使用できると共に、使用者が素足やスットキングであれば、肌色の布地９のものを使用することで、人目を気にするフォーマルな場所においても人目を気にせずに使用できるので、足用健康器具１の使用範囲が広くなる。
【００２６】
なお、歩行が困難な人に対しては、各リング体３〜７を太くして、足指Ｙの曲げ伸ばしをすることで、歩行時と同様の効果を得ることができる。また、足指Ｙの曲げ伸ばしを行なうことで、足指Ｙのストレッチも行なわれ、足指Ｙが柔軟になって、外反母趾，内反小趾予防にも効果的である。
【００２７】
以上のように、前記実施例では請求項１に対応して、足指Ｙの付け根部である付け根に装着され、この足指Ｙの付け根に遊嵌自在となる大きさに形成されたリング体３〜７を有し、リング体３〜７の軸心方向Ｘを前後方向として、複数のリング体３〜７を左右に連結している。この場合、足指Ｙの付け根にリング体３〜７を装着すると、この付け根の裏側が使用者の自重によって押されるだけでなく、付け根の側部も、歩行によって踏み込む際に指先に力が入って足指Ｙの間同士が閉じることにより、リング体３〜７の連結した部分に押される。そのため、足指Ｙの裏側と側部に対し押圧によるマッサージ効果を与えることができる。また、足指Ｙ同士がリング体３〜７で仕切られ、通気性が向上し足指Ｙのニオイやムレを防ぎ足指Ｙを清潔に保つことができる。さらに、足指Ｙの付け根に対し遊嵌自在な大きさにリング体３〜７を形成したことにより、足指Ｙの装着後にリング体３〜７は足指Ｙに摺動自在となるので、足指Ｙに対し快適な位置での装着ができる。
【００２８】
また、前記実施例では請求項２に対応して、前記リング体３〜７を弾性体から形成したことにより、リング体３〜７に伸縮性をもたせ、足指Ｙへの着脱を楽にし、又リング体３〜７に弾力性をもたせることにより、足指Ｙに対する押圧によるマッサージ効果と足指Ｙへの装着感を優れたものにできる。
【００２９】
さらに、前記実施例では請求項３に対応して、左右に連結した部分である連結部８を前後に重ねて連結したことにより、リング体３〜７の連結部８が左右方向に広く形成されることを防ぎ、装着時におけるリング体３〜７の連結部８から足指Ｙへの圧迫を軽減し、足用健康器具１の装着感を優れたものにできる。
【００３０】
さらに、前記実施例では請求項４に対応して、リング体３〜７は表面を布体９により覆われていることにより、布体９に着色などを施すことで、足用健康器具１をデザイン性に優れたものにできる。
【００３１】
それ以外の実施例上の効果として、本実施例では前記リング体３〜７の断面形状が円であることにより、足指Ｙの裏にあるツボに効果的に押圧を加えることができ、マッサージ効果を更に優れたものにできる。また、リング体３〜７を引掛りの少ない形状にすることで、足指Ｙへの脱着を更に楽なものとすると共に、装着時に足指Ｙの関節への収まりが良く優れた装着感を得ることができる。
【産業上の利用可能性】
【００３２】
以上のように本発明にかかる足用健康器具は種々の用途に適用できる。
【図面の簡単な説明】
【００３３】
【図１】本発明の実施例１における足用健康器具の斜視図である。
【図２】本発明の実施例１における足用健康器具の平面図である。
【図３】本発明の実施例１における足用健康器具を足指に装着した状態を示した斜視図である。
【図４】本発明の実施例１における足用健康器具を足指に装着した状態を示した平面図である。
【図５】図５（Ａ）〜（Ｂ）は足用健康器具の装着時における足指に対するリング体の動きを示した側面図であり、図５（Ａ）は装着時当初のリング体と足指の位置関係を示した図であり、図５（Ｂ）はリング体が足指に対し適切な位置に収まった状態を示した図である。
【符号の説明】
【００３４】
１  足用健康器具
３  第１のリング体（リング体）
４  第２のリング体（リング体）
５  第３のリング体（リング体）
６  第４のリング体（リング体）
７  第５のリング体（リング体）
８  連結部（連結した部分）
９  布体
Ｘ  軸心方向
Ｙ  足指
【図１】
2007050156.tif 000003
【図２】
2007050156.tif 000004
【図３】
2007050156.tif 000005
【図４】
2007050156.tif 000006
【図５】
2007050156.tif 000007